(57)【特許請求の範囲】
【請求項１】
開口部を有しスピーカ本体を内部で保持すると共に取付部材に形成された取付孔に挿入される本体保持手段と、この本体保持手段に対して取り付けられていると共に上記取付孔から延出する切欠き部に挿入され上記開口部よりも長い寸法を有する挟持手段とによって上記取付孔の縁部を挟持可能としているスピーカ装置において、
上記挟持手段は、上記本体保持手段のフランジ部と共に、当該フランジ部との間で弾性付勢力を作用させることによって上記取付部材を挟持すると共に、上記挟持手段と上記本体保持手段とは連結されていて、該連結により、上記弾性付勢力の作用によっても、上記挟持手段と上記本体保持手段とは分離しない構成となっていることを特徴とするスピーカ装置。
【請求項２】
開口部を有しスピーカ本体を内部で保持する共に取付部材に形成された取付孔に挿入される本体保持手段と、この本体保持手段に対して取り付けられていると共に上記取付孔から延出する切欠き部に挿入され上記開口部よりも長い寸法を有する挟持手段とによって上記取付孔の縁部を挟持可能としているスピーカ装置において、
上記本体保持手段に形成されていると共に、上記挟持手段を挿通させる複数のスリットと、上記本体保持手段の底面部から開口部に向かって突出形成されている複数の突出ガイドと、
上記突出ガイドに取り付けられると共に、上記挟持手段に対して弾性付勢力を与えるための弾性部材と、
上記挟持手段に形成されると共に、上記突出ガイドを挿通させるための孔部と、
を具備することを特徴とするスピーカ装置。
【請求項３】
前記突出ガイドには、この突出ガイドを前記孔部に差し込んだ場合に前記挟持手段の抜け止めとして機能する係止爪が設けられていることを特徴とする請求項２記載のスピーカ装置。
【請求項４】
前記本体保持手段の前記開口部側の外周には、中心から外周に向かいフランジ部が形成されていて、このフランジ部によって前記本体保持手段は前記取付孔の縁部に係止されることを特徴とする請求項１から３のいずれか１項に記載のスピーカ装置。
【請求項５】
前記本体保持手段には、前記スピーカ本体を受け止めてこれに弾性付勢力を付与する支持手段が、前記本体保持手段の底面部から前記開口部に向かって形成されていることを特徴とする請求項１から４のいずれか１項に記載のスピーカ装置。
【請求項６】
前記挟持手段には、前記支持手段を挿通させる挿通孔が形成されていることを特徴とする請求項５記載のスピーカ装置。
【請求項７】
前記スピーカ装置は、ツイータ装置であることを特徴とする請求項１から６のいずれか１項に記載のスピーカ装置。
【請求項８】
請求項１から７のいずれか１項に記載のスピーカ装置を、取付孔が形成された取付部材に取り付けたことを特徴とするスピーカ装置の取付構造。
【発明の詳細な説明】
【０００１】
【発明の属する技術分野】
本発明は、車載型スピーカ装置に係わり、特にツイータ装置及びツイータ装置の取付構造、ツイータ装置の取付方法に関する。
【０００２】
【従来の技術】
車載型スピーカ装置においては、高音域の音質を良好にするために、ツイータ装置を設けるのが一般的である。かかるツイータ装置は、ダッシュボード上やフロントドア等に主に埋め込まれて取り付けられるものである。図５にかかるツイータ装置５０の取付構造５１を示す。なお、この図において、図５（ａ）はツイータ本体を組み立てて取付部材５２に取り付ける前の状態を示す図であり、図５（ｂ）はツイータ装置５０を取付部材５２に取り付けた様子を示す図である。
【０００３】
この図に示すように、例えばダッシュボード等の取付部材５２（取付面）には、ツイータ装置５０の大きさに対応した取付孔５３が設けられている。また、押さえ金具５４は、円形カップ状のブラケット５５に仮止めされているものである。図５及び図６（ｂ）に示すように、ブラケット５５は所定の深さの凹形状に形成されていると共に、外周縁部にはほぼ全周に亘ってフランジ部５６が形成されている。ブラケット５５の中心からフランジ部５６までは、取付孔５３の半径よりも大きくなるように形成されている。このため、取付孔５３に挿入されたブラケット５５は、フランジ部５６で係止される構成である。
【０００４】
ここで、ブラケット５５には、複数の係止孔５７が形成されていると共に、押さえ金具５４には、図７に示すようにブラケット５５の係止孔５７に対応した位置及び個数のネジ孔５８と外方に伸びる３つの係止腕５４ａとが形成されている。このネジ孔５８に対し、ブラケット５５の係止孔５７と位置合わせを行って、対応する数のネジ５９をネジ孔５８に予め捻じ込めば、ブラケット５５に対して押さえ金具５４が仮止めされた状態となる。
【０００５】
仮止め後に押さえ金具５４の係止腕５４ａが内側に曲がる弾性を利用して押さえ金具５４をブラケット５５と共に取付孔５３に押し込む。また、係止腕５４ａの逃げとして、ブラケット５５には３つのスリット孔５５ａが設けられている。そして、ネジ５９を捻じ込むことによって、図５に示すように取付部材５２をブラケット５５と押さえ金具５４にて挟持固定する状態となる。なお、係止孔５７、ネジ孔５８及びネジ５９は、ブラケット５５と押さえ金具５４との間の取付固定を安定的なものとするために、複数（図５、図６及び図７においては一対）設けられるものである。
【０００６】
なお、ブラケット５５の底部中央には、支柱受け部６０が設けられている。支柱受け部６０は、ブラケット５５の底部中央に孔部６１を有すると共に、孔部６１の縁部をフランジ部５６側に向けて突出させたものである。この支柱受け部６０は、孔部６１の上部がその下方よりもやや小径となる、段状を為す形状となっている。そして、孔部６１の上部はバネ受けとしての機能を果たすものであり、ここにバネ６２が取り付けられる。それによりこの部分がバネ受けの機能を果たしている。また、支柱受け部６０の内部には支柱６３の係止爪６４が挿入される。
【０００７】
支柱６３は、図５及び図６に示すように、上部がツイータ本体６５を付勢する押込み部６６となっている。また、係止爪６４は、孔部６１の内部に入り込み、内部の段差面６１ａに係止される。それによって、支柱６３には上方に向かう弾性付勢力が与えられると共に、係止爪６４が段差面６１ａに当接して抜け止めの役割を果たすこととなる。
【０００８】
支柱６３を孔部６１に装着した後に、支柱６３の上方からブラケット５５内部にツイータ本体６５を挿入する。このツイータ本体６５は、押込み部６６からバネ６２による弾性付勢力を受けることとなるが、その弾性付勢力に逆らってツイータ本体６５をカバー部材６７を介して押さえ込む。このカバー部材６７は、図８に示すように、その平面形状がリング状を為すと共に、下面側から下方に向かって係合爪６８が突出形成されている。この係合爪６８は、ブラケット５５の側面に形成されたスリット孔５５ｂの上端に掛け止めされるものである。それによって、ブラケット５５とツイータ本体６５との間に生じている隙間を埋めることが可能となり、ツイータ本体６５にガタが生じない構成となる。
【０００９】
【発明が解決しようとする課題】
ところで、上述の車載用スピーカ装置としてのツイータ装置５０の取付構造５１においては、少なくとも一対以上のネジ５９により、ブラケット５５と押さえ金具５４との間の取付固定を為すものである。特にネジ５９が一対設けられている場合、良好な取付固定とするためには、ネジ５９を両方均等な力でかつ同時に締め付ける必要がある。このため、一方のネジ５９を少し捻じ込んだら、今度は他方のネジ５９を少し捻じ込む等して、交互に捻じ込むネジ５９を交代させながら捻じ込む必要がある。このような捻じ込み作業では、捻じ込むネジ５９の交代に時間を要したり、捻じ込み加減のバランス調整のために気を使う必要があり、作業効率が悪いものとなっている。
【００１０】
また、間違ってネジ５９を捻じ込み過ぎた場合、押さえ金具５４に塑性変形が生じてしまう。そのため、押さえ金具５４が変形して撓んでしまい、取付部材５２の挟持固定に対して悪影響を及ぼすことがある。
【００１１】
さらに、一度ツイータ装置５０を取付部材５２に取り付けてしまうと、ツイータ装置５０を取付部材５２から取り外す作業が困難なものとなる。これは、取り外しの際には、上述の取り付け作業と逆の作業を行う手間に加え、間違ってネジ５９をブラケット５５から外してしまうと、押さえ金具５４がダッシュボード内部やフロントドア内部等に脱落してしまうことがあり、その場合には押さえ金具５４をダッシュボード内部等から取り除くのが非常に困難なものとなる。
【００１２】
本発明は上記の事情にもとづきなされたもので、その目的とするところは、取付部材への取り付け及び取付部材からの取り外しが容易なスピーカ装置、スピーカ装置の取付構造及びスピーカ装置の取付方法を提供しようとするものである。
【００１３】
【課題を解決するための手段】
上記課題を解決するために、本発明のスピーカ装置は、開口部を有しスピーカ本体を内部で保持すると共に取付部材に形成された取付孔に挿入される本体保持手段と、この本体保持手段に対して取り付けられていると共に取付孔から延出する切欠き部に挿入され開口部よりも長い寸法を有する挟持手段とによって取付孔の縁部を挟持可能としているスピーカ装置において、挟持手段は、本体保持手段のフランジ部と共に、当該フランジ部との間で弾性付勢力を作用させることによって取付部材を挟持すると共に、挟持手段と本体保持手段とは連結されていて、該連結により、弾性付勢力の作用によっても、挟持手段と本体保持手段とは分離しない構成としたものである。
【００１４】
このようにしたことで、本体保持手段に挟持手段が弾性付勢力が付与されて取り付けられていることになるので、スピーカ装置を取付孔に取りつける際には、スリットと挟持手段の位置合わせを行った後に取付孔及びスリットに、本体保持手段及び挟持手段を挿入する。この後に、挟持手段を押し込んで本体保持手段から離間させるようにして、本体保持手段及び挟持手段を取付孔（切欠き部）に対して所定角度回転させて、挟持手段を切欠き部からずらす。この後に、挟持手段に対する押し込みを解除すると、取付部材の取付孔縁部を、本体保持手段と挟持手段とで挟持固定する状態となる。このように、本発明のスピーカ装置では、取付孔（切欠き部）に本体保持手段及び挟持手段を挿入した後に、ネジを捻じ込む必要が無くなり、取付部材への取付固定を容易に行うことが可能となる。
【００１５】
また、取付部材からスピーカ装置を取り外す場合にも、挟持手段を押し込んで回転させるだけのため、容易な取付固定を実現することが可能となる。すなわち、２つのネジを均等に捻じ込む必要がなくなり、取付固定及び取り外しにおける作業効率の向上を図ることが可能となる。
【００１６】
また、他の発明のスピーカ装置は、開口部を有しスピーカ本体を内部で保持する共に取付部材に形成された取付孔に挿入される本体保持手段と、この本体保持手段に対して取り付けられていると共に取付孔から延出する切欠き部に挿入され開口部よりも長い寸法を有する挟持手段とによって取付孔の縁部を挟持可能としているスピーカ装置において、本体保持手段に形成されていると共に、挟持手段を挿通させる複数のスリットと、本体保持手段の底面部から開口部に向かって突出形成されている複数の突出ガイドと、突出ガイドに取り付けられると共に、挟持手段に対して弾性付勢力を与えるための弾性部材と、挟持手段に形成されると共に、突出ガイドを挿通させるための孔部と、を具備するものである。
【００１７】
このようにしたことで、挟持手段に形成された孔部に突出ガイドを挿通させることで、挟持手段が取り付けられる。挟持手段が取り付けられると、突出ガイドに沿って摺動可能となり、さらに弾性部材によって弾性付勢力が与えられる。このようにして本体保持手段に挟持手段を取り付けた後に、スピーカ装置を取付孔に取り付ける。取り付けに際しては、切欠き部と挟持手段の位置合わせを行った後に取付孔及び切欠き部に、本体保持手段及び挟持手段を挿入する。
【００１８】
この後に、挟持手段を押し込んで本体保持手段から離間させるようにして、本体保持手段及び挟持手段を取付孔（切欠き部）に対して所定角度回転させて挟持手段を切欠き部からずらす。この後に、挟持手段に対する押し込みを解除すると、弾性部材の弾性付勢力によって挟持手段が突出ガイドに沿って摺動する。それによって、取付部材の取付孔縁部を、本体保持手段と挟持手段とで挟持固定する状態となる。このように、本発明のスピーカ装置では、取付孔（切欠き部）に本体保持手段及び挟持手段を挿入した後に、ネジを捻じ込む必要が無くなり、取付部材への取付固定を容易に行うことが可能となる。また、取付部材からスピーカ装置を取り外す場合にも、挟持手段を押し込んで回転させるだけのため、容易な取付固定を実現することが可能となる。すなわち、２つのネジを均等に捻じ込む必要がなくなり、取付固定及び取り外しにおける作業効率の向上を図ることが可能となる。
【００１９】
さらに、他の発明は、上述の発明に加えて更に、突出ガイドには、この突出ガイドを孔部に差し込んだ場合に挟持手段の抜け止めとして機能する係止爪が設けられることとしたものである。このため、本体保持手段と挟持手段とを一体的なものとすることができる。それによって、挟持手段が突出ガイドから脱落するのを防止することができ、取付孔にスピーカ装置を挿入する場合、作業性が向上する。
【００２０】
また、他の発明は、上述の各発明に加えて更に、本体保持手段の開口部側の外周には、中心から外周に向かいフランジ部が形成されていて、このフランジ部によって本体保持手段は取付孔の縁部に係止されることとしたものである。このため、取付孔に本体保持部を挿入した場合、フランジ部が取付孔の縁部に確実に係止される。それによって、本体保持部が取付孔内部に脱落することがない。
【００２１】
さらに、他の発明は、上述の各発明に加えて更に、本体保持手段には、スピーカ本体を受け止めてこれに弾性付勢力を付与する支持手段が、本体保持手段の底面部から開口部に向かって形成されることとしたものである。このため、本体保持手段にスピーカ本体を挿入すると、該スピーカ本体に対して開口部に向かう弾性付勢力が付与される。それによって、本体保持部の底面部側においてスピーカ本体にガタが生じさせることがなくなる。
【００２２】
また、他の発明は、上述の発明に加えて更に、挟持手段には、支持手段を挿通させる挿通孔が形成されているものである。このため、挟持手段と支持手段が干渉することが無く、支持手段は良好にスピーカ本体に開口部に向かう弾性付勢力を与えることが可能となる。
【００２３】
さらに、他の発明は、上述の各発明に加えて更に、スピーカ装置をツイータ装置としたものである。このようにしたため、ツイータ装置をダッシュボードやフロントドアパネル等に嵌め込む場合、その作業性が向上する。
【００２４】
また、他の発明は、上述の各発明のスピーカ装置を、取付孔が形成された取付部材に取り付けて、スピーカ装置の取付構造としたものである。このようにしたことで、確実かつ容易に取付孔に取付固定できるスピーカ装置の取付構造を提供することが可能となる。
【００２８】
【発明の実施の形態】
（第一の実施の形態）
以下、本発明の第一の実施の形態について、図１及び図２に基づいて説明する。図１及び図２は、本発明に係わるスピーカ装置としてのツイータ装置１０（ツイータ本体の図示が省略されたもの）、及びツイータ装置の取付構造１１を示すものである。なお、以下の説明においては、ツイータ装置の取付構造１１についての説明のみならず、ツイータ装置１０を取り付ける取付方法についても併せて説明する。
【００２９】
この図において、ダッシュボードやフロントドア等の取付部材１３には、取付孔１４が形成されている。この取付孔１４は、略円孔形状に形成されていると共に、図１に示すように取付孔１４から２つの切欠き部１５が延出している。この切欠き部１５は、後述する押さえ金具２２を挿通させることが可能な大きさ及び配置に形成されている。なお、切欠き部１５の個数は２つに限られるものではなく、その個数、形状及び配置は、種々変更可能となっている。
【００３０】
取付孔１４には、ツイータ保持体２０が挿入される。このツイータ保持体２０は、本体保持手段としてのブラケット２１と、挟持手段としての押さえ金具２２と、支柱２３と、支柱バネ２４と、弾性部材としてのガイドバネ２５からなるものであり、これらが組み立てられて一体的に構成されたものである。以下、まずツイータ保持体２０の組み立て方について説明する。
【００３１】
ツイータ保持体２０を構成するブラケット２１は、その材質を例えば樹脂としており、その形状は底部２１ａ、側面部２１ｂ及びフランジ部２６を有するカップ状に形成されている。このうち、フランジ部２６は、取付部材１３の縁部１３ａに引っ掛かることで取付部材１３に対するブラケット２１の位置規制を行うものである。このため、フランジ部２６はブラケット２１の径方向の外方に向かうように形成されており、また取付孔１４の半径よりもブラケット２１の中心からフランジ部２６外周までの距離が長くなるように設けられている。
【００３２】
また、ブラケット２１には上述の切欠き部１５の配置及び個数に対応してスリット２７（２７ａ，２７ｂ）が形成されている。一方のスリット２７ａは、上端側はフランジ部２６を開放した切欠き状に形成されている。また、両スリット２７ａ，２７ｂは、側面部２１ｂに形成され、その下端側は底部２１ａにまで到達している。それによって、上述の押さえ金具２２をブラケット２１の底部２１ａまで移動させることを可能としている。なお、他方のスリット２７ｂの上端側が開放されていないのは、ブラケット２１の強度を保つためである。
【００３３】
ブラケット２１の底部２１ａには、その中央部分に他の底部２１ａよりも内部に向かい突出した隆起部２８が形成されている。この隆起部２８を構成するブラケット２１の肉厚は、ブラケット２１の他の部分と同等となっている。このため、隆起部２８の裏面側（ブラケット２１の外側）は、内部に向かい窪んだ窪み部分２８ａとなっている。また、隆起部２８の中央には、貫通孔２９が形成されていて、後述する支柱２３を挿通可能としている。この支柱２３が貫通孔２９に挿通された場合、隆起部２８で支柱バネ２４を介して支柱２３を回動自在に支持する構成となる。
【００３４】
上述の窪み部分２８ａには、支柱２３の係止爪２３ｃが掛け止めされる。支柱２３は、図１に示すように、上端側がツイータ保持体２０を受け止める受け部２３ａとなっている。そして、この受け部２３ａからは一対の脚部２３ｂが互いに対向しながら下方に向かって延伸している。この脚部２３ｂの下端においては、互いの脚部２３ｂから離間する向きに向かって係止爪２３ｃが形成されている。それにより、ブラケット２１の内部から支柱２３を貫通孔２９に差し込んだ場合、係止爪２３ｃが窪み部分２８ａの壁面に係止されることとなり、貫通孔２９からの抜け止めの役割を果たすこととなる。
【００３５】
なお、支柱２３を貫通孔２９に差し込む場合は、支柱２３に対して予め支持バネ２４を差し込んでおく。この状態で貫通孔２９に支柱２３を差し込めば、貫通孔２９の上端に支持バネ２４が当接することとなる。それによって、支持バネ２４は受け部２３ａに対して上方に向かう弾性付勢力を与える構成となる。
【００３６】
また、ブラケット２１内部の底部２１ａにおいて、一対の突出ガイド３０が上方に向かって突出形成されている。この突出ガイド３０は、押さえ金具２２の図１における上下方向の摺動をガイドするものであると共に、押さえ金具２２を係止して抜け止めの役割を果たすものである。それ故、突出ガイド３０は上述の支柱２３と類似の構成を採用しており、底部２１ａから脚部３０ａが上方に向かい突出形成されている。また、脚部３０ａの上端には、互いの脚部３０ａから離間する向きに向かって係止爪３０ｂが形成されている。
【００３７】
なお、図１においては、一対の突出ガイド３０を結んだ直線上に、貫通孔２９の中心が存するように、夫々の突出ガイド３０が配置されている。これと共に、夫々の突出ガイド３０は、貫通孔２９の中心から等距離を為す位置に配置されている。
【００３８】
この突出ガイド３０には、まずガイドバネ２５が挿通されると共に、続いて押さえ金具２２が押し込まれる。図１に示すように、押さえ金具２２は長尺状の板状部材２２ａを有していると共に、板状部材２２ａの両端部において底部２１ａから離間する方向に一対の間隔調整部２２ｂが屈曲して形成されている。また、一対の間隔調整部２２ｂの突出端部からは、取付部材１３に当接してツイータ装置１０を挟持固定するための一対の当接部３１が、互いに離間する方向に向かい屈曲形成されている。
【００３９】
板状部材２２ａは、その中心部に大径の挿通孔３３を有している。この挿通孔３３は、上述の支柱２３及び支持バネ２４を挿通させることができる程度の径を有して形成されている。このため、板状部材２２ａは、挿通孔３３の直径に対応した分だけ幅が広げられている。また、板状部材２２ａには、この挿通孔３３を挟んで対称な位置に一対の孔部としての係止孔３４が形成されている。係止孔３４は、上述の貫通孔２９と同様に、突出ガイド３０の抜け止めの役割を果たすものであり、突出ガイド３０に位置合わせした後に押さえ金具２２を押し込むことで突出ガイド３０が係止孔３４を挿通する構成となる。
【００４０】
この場合、押さえ金具２２を挟んで係止爪３０ｂが底部２１ａとは反対側に位置するので、係止爪３０ｂが押さえ金具２２の抜け止めとして機能することとなる。また、ガイドバネ２５が底部２１ａと押さえ金具２２の間に位置するので、このガイドバネ２５によって押さえ金具２２には上方に向けて押し上げる弾性付勢力が与えられる。
【００４１】
以上のようにして、ツイータ保持体２０が完成する。続いて、このツイータ保持体２０を取付孔１４に差し込む。この場合、まず切欠き部１５と押さえ金具２２の当接部３１との位置合わせを行ってツイータ保持体２０を取付孔１４に差し込む。続いて、押さえ金具２２をガイドバネ２５の弾性付勢力に抗して押さえ込む。それによって、一対の当接部３１のどちらとも、切欠き部１５を通過することとなる。この後に、ツイータ保持体２０を所定角度だけ回転させて、当接部３１を切欠き部１５からずらす。そして、当接部３１が取付部材１３の裏面に弾性付勢力を与えるようにする。
【００４２】
ここで、ツイータ保持体２０を回転させるに当たっては、押さえ金具２２を所定だけ押し込んでから回転させれば、取付部材１３と当接部３１がぶつかって干渉することがなく、その後、押さえ金具２２の押さえ込みを解くことで良好にツイータ保持体２０を取付孔１４に嵌め込むことが可能となる。このようにすることで、取付部材１３をフランジ部２６と当接部３１とで挟み込み、ツイータ保持体２０を挟持固定している状態となる。
【００４３】
なお、この後に、ブラケット２１内部に図５に示すツイータ本体６５と同様な構成を有するツイータ本体（スピーカ本体に対応）を入れ込む。そして、その上部から不図示のカバー部材を嵌め込むことで、ツイータ装置１０の取り付け作業が終了する。それによって、ツイータ装置の取付構造１１が完成する。
【００４４】
このようなツイータ装置１０及びツイータ装置の取付構造１１では、ツイータ保持体２０を取付孔１４に嵌め込んだ後に、このツイータ保持体２０の押さえ金具２２をブラケット２１の底部２１ａに向けて押し込み、さらにブラケット２１を所定角度回転させる。そして、押さえ金具２２の押し込みを解除すれば、当接部３１が取付部材１３の一方の面を付勢し、ブラケット２１のフランジ部２６が取付部材１３の他方の面を付勢する。それによって、取付部材１３が当接部３１とフランジ部２６とで挟み込まれる状態となる。このため、従来の技術で述べたように、２つのネジを均等に捻じ込む等の面倒な作業を行わずに済み、取付部材１３への取付作業を効率良く行うことができる。
【００４５】
また、取付作業を効率良く行うことができると、作業能率が向上するので、コスト低減を図ることも可能となる。さらに、押さえ金具２２が突出ガイド３０に取り付けられる場合、係止爪３０ｂによって係止孔３４から突出ガイド３０が抜けるのが防止される。このため、係止爪３０ｂが抜け止めとして機能し、押さえ金具２２がブラケット２１に取り付けられた状態を維持してこれらを一体的なものとすることができる。
【００４６】
また、ブラケット２１にはフランジ部２６が形成されているので、取付孔１４の縁部に存する取付部材１３に、ブラケット２１（ツイータ保持体２０）を確実に係止させることが可能となる。また、ブラケット２１（ツイータ保持部２０）が、取付孔１３内部に脱落することを防止することも可能となる。
【００４７】
さらに、ブラケット２１には、ツイータ本体を受け止めるための支柱２３が、支柱バネ２４によって弾性付勢力が与えられた状態で取り付けられる。このため、ブラケット２１にツイータ本体を挿入すると、このツイータ本体に対して底部３２ａとは反対側に向かう弾性付勢力が与えられる。それによって、ブラケット２１とツイータ本体との間にガタが生じることを防止でき、良好な保持状態とすることができる。
【００４８】
また、押さえ金具２２には、挿通孔３３が形成されていて、この挿通孔３３に支柱バネ２４が挿通可能となっている。このようにしたことで、押さえ金具２２と支柱バネ２４とが干渉することが無い。それによって、支柱バネ２４は良好にツイータ本体に対して開口部（底部２１ａとは反対側）に向かう弾性付勢力を与えることが可能となる。
【００４９】
（第二の実施の形態）
以下、本発明の第二の実施の形態について、図３に基づいて説明する。なお、本実施の形態においては、上述の第一の実施の形態で説明した構成、部材と同一のものについては、同一符号を付して説明する。
【００５０】
本実施の形態のツイータ装置４０は、上述の第一の実施の形態で述べたツイータ装置１０の押さえ金具２２の形状を変更して新たな押さえ金具４１を使用し、押さえ金具４１の形状変更に対応してブラケット２１のスリット２７の配置及び個数を変更している。また、これら押さえ金具４１及びブラケット２１の形状変更に対応して、取付部材１３の取付孔１４から延出して形成されている切欠き部１５の配置及び個数を変更している。
【００５１】
すなわち、本実施の形態においては、押さえ金具４１に存する間隔調整部４１ｂ及び当接部４２は夫々３個設けられている。また、押さえ金具４１の間隔調整部４１ｂ及び当接部４２に対応して、ブラケット２１のスリット２７（２７ａ，２７ｃ，２７ｃ）及び切欠き部１５も３個設けられている。それによって、上述の実施の形態で述べたのと同様に、ツイータ保持体２０を組み立てて取付孔１４に挿入し、押さえ金具４１を押し込んでツイータ保持体２０を所定角度だけ回転させて該押さえ金具４１の押し込みを解除すると、取付部材１３に対して当接部４２が３点支持の状態となる。
【００５２】
なお、２つのスリット２７は、先のスリット２７ｂと同様に、上端側が開放されておらず、フランジ部２６がつながった状態となっている。これは、先の場合と同様に、ブラケット２１の強度を保つためである。
【００５３】
このように、ツイータ保持体２０（当接部４２）が取付部材１３に対して３点支持状態となれば、２点支持の場合と比較して取付部材１３への取り付け状態が安定的なものとなり、良好な保持状態とすることができる。すなわち、上述の第一の実施の形態においては、押さえ金具２２は板状部材２２ａを基本とするものであり、取付部材１３は２つの当接部３１によって２点支持を為すものであったが、本実施の形態の押さえ金具４１は取付部材１３を３つの当接部４２によって３点支持するものである。このため、ツイータ保持体２０に回転力が加わった場合でも、捻れに強くなり、安定的な保持状態を持続することができる。
【００５４】
以上、本発明の各実施の形態について説明したが、本発明はこれ以外にも種々変形可能となっている。以下それについて述べる。上述の第一及び第二の実施の形態においては、ツイータ装置１０，４０を取付部材１３に取り付ける場合について説明したが、本発明はスピーカ装置一般に適用可能である。すなわち、ツイータ装置１０，４０のみならず、スピーカを構成する他の部分（ウーファ、スコーカ等）であるスピーカ本体を内部で保持する本体保持手段を有するスピーカ装置一般に適用することが可能である。また、上述の第一及び第二の実施の形態においては、押さえ金具２２では２点支持、押さえ金具４１では３点支持の場合について説明したが、これ以外にも、例えば４点支持以上を為す押さえ金具を形成しても構わない。
【００５５】
また、上述の第一及び第二の実施の形態では、押さえ金具２２，４１は、板状部材２２ａ，４１ａから間隔調整部２２ｂ，４１ｂ及び当接部３１，４２が夫々略垂直に形成された場合について説明したが、この押さえ金具２２，４１の形状を変更して図４に示す形状としても構わない。この図において、新たな押さえ金具４５は、板状部材４５ａ及び間隔調整部４５ｂが略垂直を為さず、板状部材４５ａから遠ざかる方向に向かう傾斜角度を為して板状部材４５ａに取り付けられている。板状部材４５ａの長さは、取付孔１４の直径よりも短い長さとなっている。また、この図に示す当接部４６は、上述の第一及び第二の実施の形態で説明した如き外側に向く平板状の当接部３１，４２とは異なり、内側に向かせた曲面状に形成されている。このように押さえ金具４５を形成することにより、取付孔１４に切欠き部１５を設けなくても、間隔調整部４５ｂが内側に曲がる弾性力をり用して押さえ金具４５をツイータ保持体２０ごと、取付孔１４に押し込むことが可能である。
【００５６】
その他の部材においても、その形状等は、本発明の作用効果を発揮する限り、種々変形可能である。例えば、スリット２７の形状を全て上端が開放したものとしても良い。また、弾性付勢力を発生させるものであれば、コイルバネの代わりに皿バネ、ゴム材質等の弾性材質を採用しても良い。さらに、突出ガイド３０やガイドバネ２５を各２個ではなく、当接部３１，４２，４６と同一の数、又はそれらの数以上設けるようにしても良い。
【００５７】
【発明の効果】
以上説明したように、本発明によると、本体保持手段に挟持手段が弾性付勢力が付与されて取り付けられていることになるので、スピーカ装置を取付孔に取りつける際には、切欠き部と挟持手段の位置合わせを行った後に取付孔及び切欠き部に、本体保持手段及び挟持手段を挿入する。この後に、挟持手段を押し込んで本体保持手段から離間させるようにして、本体保持手段及び挟持手段を取付孔（切欠き部）に対して所定角度回転させて、挟持手段を切欠き部からずらす。この後に、挟持手段に対する押し込みを解除すると、取付部材の取付孔縁部を、本体保持手段と挟持手段とで挟持固定する状態となる。このように、本発明のスピーカ装置では、取付孔（切欠き部）に本体保持手段及び挟持手段を挿入した後に、ネジを捻じ込む必要が無くなり、取付部材への取付固定を容易に行うことが可能となる。
【００５８】
また、取付部材からスピーカ装置を取り外す場合にも、挟持手段を押し込んで回転させるだけのため、容易な取付固定を実現することが可能となる。すなわち、２つのネジを均等に捻じ込む必要がなくなり、取付固定及び取り外しにおける作業効率の向上を図ることが可能となる。
【図面の簡単な説明】
【図１】本発明の第一の実施の形態に係わる図であり、ツイータ保持体を分解した状態を示すと共に、取付部材へツイータ保持体を取り付ける様子を示す斜視図である。
【図２】図１のツイータ保持体を、取付部材に取り付けた様子を示す断面図である。
【図３】本発明の第二の実施の形態に係わる図であり、ツイータ保持体を分解した状態を示すと共に、取付部材へツイータ保持体を取り付ける様子を示す斜視図である。
【図４】第一の実施の形態及び第二の実施の形態で説明した押さえ金具を変更し、新たな押さえ金具を適用したツイータ保持体を、取付部材に取り付けた様子を示す断面図である。
【図５】従来のツイータ装置の取付部材への取付状態を示す図であり、（ａ）は取付固定する前の状態、（ｂ）は取付固定した後の状態を示す図である。
【図６】従来のツイータ装置のブラケットの形状を示す図であり、（ａ）は平面図、（ｂ）は側断面図である。
【図７】従来のツイータ装置の押さえ金具の形状を示す図であり、（ａ）は平面図、（ｂ）は正面図、（ｃ）は側断面図である。
【図８】従来のツイータ装置のカバー部材の形状を示す図であり、（ａ）は平面図、（ｂ）は側断面図である。
【符号の説明】
１０…ツイータ装置
１１…ツイータ装置の取付構造
１３…取付部材
１４…取付孔
１５…切欠き部
２０…ツイータ保持体
２１…ブラケット（本体保持手段）
２２，４１，４５…押さえ金具（挟持手段）
２３…支柱
２４…支柱バネ
２５…ガイドバネ（弾性部材）
２６…フランジ部
２７…スリット
２９…貫通孔
３０…突出ガイド
３１，４２，４６…当接部
３３…貫通孔
３４…係止孔（孔部）
【図１】
0003997266.tif 000002
【図２】
0003997266.tif 000003
【図３】
0003997266.tif 000004
【図４】
0003997266.tif 000005
【図５】
0003997266.tif 000006
【図６】
0003997266.tif 000007
【図７】
0003997266.tif 000008
【図８】
0003997266.tif 000009